(57)【要約】【課題】洗浄機能付きレンジフードに使用される給排水トレイの設置および取り外しを安定的に行えるレンジフード得ることを目的とする。【解決手段】吸込口１を有するフード２と、フード２に接続されるファンボックス４と、吸込口１から吸込まれた空気を排気する排気装置５と、フィルター部７を浸漬させるための洗浄ケーシング８と、洗浄ケーシング８からの排水を溜める排水トレイ９と、排気装置５の動作を操作する操作部１０と、を備えたレンジフードであって、フード２は、前方部１１と後方部１２と左側部１３と右側部１４とを含み、吸込口１は、前方部１１と後方部１２との間であって、左側部１３と右側部１４との間に位置し、操作部１０および排水トレイ９は、前方部１１に設けられるという構成にしたことにより、排水トレイ９は使用者が容易に取り外しできる位置に設けられることとなり、排水トレイ９を安定的に設置および取り外すことができる。【選択図】図１
2019138597.tif 000002
【特許請求の範囲】
【請求項１】
汚染された空気を吸込む吸込口を有するフードと、
前記吸込口の下方に設けられる整流板と、
前記フードに接続されるファンボックスと、
前記ファンボックスの内部に設けられ、前記吸込口から吸込まれた空気を排気する排気装置と、
前記排気装置のファンに設けられ、油を捕集するフィルター部と、
前記フィルター部を浸漬させるための洗浄ケーシングと、
前記洗浄ケーシングからの排水を溜める排水トレイと、
前記排気装置の動作を操作する操作部と、を備えたレンジフードであって、
前記フードは、前方部と後方部と左側部と右側部とを含み、
前記吸込口は、前記前方部と前記後方部との間であって、前記左側部と前記右側部との間に位置し、
前記操作部および前記排水トレイは、前記前方部に設けられることを特徴とするレンジフード。
【請求項２】
前記操作部は、前記前方部の前面に設けられ、
前記排水トレイは、前記前方部の下面において、前記操作部と前記吸込口との間に設けられることを特徴とする請求項１に記載のレンジフード。
【請求項３】
前記整流板は、前端部と、前記前端部と対向する後端部とを含み、
前記排水トレイは、前記前端部の直上に設けられ、前記後端部の直上には設けられないことを特徴とする請求項１または２に記載のレンジフード。
【請求項４】
前記洗浄ケーシングへ給水される洗浄液を溜める給水トレイを備え、
前記給水トレイは、
前記排水トレイに並設され、
前記前端部の直上に設けられ、前記後端部の直上には設けられないことを特徴とする請求項３に記載のレンジフード。
【請求項５】
前記給水トレイから洗浄液を吸い上げる給水ポンプと、
前記ファンボックスの前面に接続される幕板と、を備え、
前記給水ポンプは、前記幕板と前記ファンボックスとで仕切られる領域に設けられることを特徴とする請求項４に記載のレンジフード。
【発明の詳細な説明】
【技術分野】
【０００１】
本発明は、厨房器具の上方に設けられ、調理時に発生する煙や熱気等を収集して屋外に排出する自動洗浄レンジフードの給排水トレイ取り付け構成に関するものである。
【背景技術】
【０００２】
従来、この種のレンジフードは、給排水トレイをフード後方に設けたものが知られている（例えば、特許文献１参照）。
【０００３】
以下、そのレンジフードについて図６を参照しながら説明する。
【０００４】
図に示すように、厨房器具１０１の上方に吸込口１０２と排出口１０３とを有するフード１０４と、フード１０４の排出口１０３付近に、電動機１０５に結合した複数のブレード１０６を有した遠心ファン１０７を内部に備えている。
【０００５】
そして、遠心ファン１０７の内部には油を付着させる油捕集部を１０８設けている。
【０００６】
そして、貯水部１０９は、排気箱板１１０の下部に設けている。
【０００７】
また、吐水保管部１１１は、吐水孔１１２を設けたケーシング１１３の下方に設けている。
【０００８】
また、一般的に風量を変更する等に使用される操作部（図示せず）は吸込箱板１１４の正面に設けている。
【先行技術文献】
【特許文献】
【０００９】
【特許文献１】特開２０１３−１４８２６９号公報
【発明の概要】
【発明が解決しようとする課題】
【００１０】
このような従来のレンジフードにおいては、貯水部１０９および吐水保管部１１１は上方に設けている吸込箱板１１４の操作部（図示せず）に対向する奥側に設けているので、貯水部１０９および吐水保管部１１１が使用者から遠い位置にあるため給排水作業が片手作業となることが多く、作業が不安定になり洗浄液が下方の厨房器具１０１にこぼれることがある、という課題を有していた。
【００１１】
そこで本発明は、上記従来の課題を解決するものであり、貯水部である給水トレイおよび吐水保管部である排水トレイの設置および取り外しをより安定的に作業できるレンジフードを提供することを目的とする。
【課題を解決するための手段】
【００１２】
そして、この目的を達成するために、本発明に係るレンジフードは、汚染された空気を吸込む吸込口を有するフードと、前記吸込口の下方に設けられる整流板と、前記フードに接続されるファンボックスと、前記ファンボックスの内部に設けられ、前記吸込口から吸込まれた空気を排気する排気装置と、前記排気装置のファンに設けられ、油を捕集するフィルター部と、前記フィルター部を浸漬させるための洗浄ケーシングと、前記洗浄ケーシングからの排水を溜める排水トレイと、前記排気装置の動作を操作する操作部と、を備えたレンジフードであって、前記フードは、前方部と後方部と左側部と右側部とを含み、前記吸込口は、前記前方部と前記後方部との間であって、前記左側部と前記右側部との間に位置し、前記操作部および前記排水トレイは、前記前方部に設けることとしたものであり、これにより所期の目的を達成するものである。
【発明の効果】
【００１３】
本発明によれば、排水トレイは使用者が両手で取り外しできる位置となるので、排水トレイをより安定的に設置および取り外しできるという効果を得ることができる。
【図面の簡単な説明】
【００１４】
【図１】本発明の実施の形態１のレンジフードの側面構成図
【図２】同レンジフードを設置した状態を示す斜視図
【図３】同レンジフードの給排水トレイの取付け構成を示す斜視図
【図４】同レンジフードの排水トレイの拡大図
【図５】同レンジフードの給排水トレイの取付け作業を示す模式図
【図６】従来のレンジフードを示す側面構成図
【発明を実施するための形態】
【００１５】
本発明の一態様に係るレンジフードは、汚染された空気を吸込む吸込口を有するフードと、前記吸込口の下方に設けられる整流板と、前記フードに接続されるファンボックスと、前記ファンボックスの内部に設けられ、前記吸込口から吸込まれた空気を排気する排気装置と、前記排気装置のファンに設けられ、油を捕集するフィルター部と、前記フィルター部を浸漬させるための洗浄ケーシングと、前記洗浄ケーシングからの排水を溜める排水トレイと、前記排気装置の動作を操作する操作部と、を備えたレンジフードであって、前記フードは、前方部と後方部と左側部と右側部とを含み、前記吸込口は、前記前方部と前記後方部との間であって、前記左側部と前記右側部との間に位置し、前記操作部および前記排水トレイは、前記前方部に設けるという構成を有する。これにより、前記排水トレイは使用者が両手で取り外しできる位置に設けられることとなるので、前記排水トレイをより安定的に取り外しできるという効果を奏する。
【００１６】
また、前記操作部は、前記前方部の前面に設けられ、前記排水トレイは、前記前方部の下面において、前記操作部と前記吸込口との間に設けるという構成にしてもよい。これにより、前記排水トレイは使用者が両手で取り外しできる位置に設けられることとなるので、前記排水トレイをより安定的に取り外しできるという効果を奏する。
【００１７】
また、前記整流板は、前端部と、前記前端部と対向する後端部とを含み、前記排水トレイは、前記前端部の直上に設けられ、前記後端部の直上には設けられないという構成にしてもよい。これにより、前記排水トレイは使用者が両手で取り外しできる位置に設けられることとなるので、前記排水トレイをより安定的に取り外しできるという効果を奏する。
【００１８】
また、前記洗浄ケーシングへ給水される洗浄液を溜める給水トレイを備え、前記給水トレイは、前記排水トレイに並設され、前記前端部の直上に設けられ、前記後端部の直上には設けられないという構成にしてもよい。これにより、前記給水トレイは使用者が両手で設置できる位置に設けられることとなるので、前記給水トレイをより安定的に設置できるという効果を奏する。
【００１９】
また、前記給水トレイから洗浄液を吸い上げる給水ポンプと、前記ファンボックスの前面に接続される幕板と、を備え、前記給水ポンプは、前記幕板と前記ファンボックスとで仕切られる領域に設けるという構成にしてもよい。これにより、前記給水トレイを前記前方に設ける場合に、より出力の小さい給水ポンプを使用できるとなるので、より安価に前記給水トレイを前記前方に設けることができるという効果を奏する。
【００２０】
以下、本発明の実施の形態について図面を参照しながら説明する。
【００２１】
（実施の形態１）
図１および図２に示すように、本発明の一態様に係るレンジフードは、吸込口１と、フード２と、排気装置５と、洗浄ケーシング８と、排水弁２２と、排水路としての排水管２３と、排水トレイ９とを備える。
【００２２】
フード２は、例えば調理器（図示せず）の上方に設けられ、汚染された空気を吸込む吸込口１を有する。フード２において、調理にて発生した油煙や周囲に浮遊する埃である微小物を捕集する吸込口１は使用者１９（図６参照）が立っている前方側に設けられる。また、フード２の天面には、屋外と連通したダクトを介して連通する吐出口を設ける。さらに、フード２の内部には遠心ファンであるファン６を包括した洗浄ケーシング８を配設する。
【００２３】
整流板３は、例えば平坦な板状で、吸込口１の下方近傍に設けられる。また、整流板３は、排気される空気が通過する通風路の一部を構成する。
【００２４】
ファンボックス４は、フード２に接続される。また、排気装置５は、ファンボックス４の内部に設けられ、吸込口１から吸込まれた空気を排気する。排気装置５は、ファン６およびモータ３０で構成される。また、ファンボックス４の前面に幕板２４が接続されていてもよい。
【００２５】
フード２の内部において、ファン６を介し吸込口１と吐出口を結ぶ通風路を形成されている。
【００２６】
ファン６には油や埃を捕集するための油捕集機構部としてのフィルター部７が設けられる。
【００２７】
フィルター部７は、排気装置５のファン６に設けられ、油を捕集する。
【００２８】
洗浄ケーシング８は、フィルター部７を洗浄液で洗浄するために浸漬させる。
【００２９】
洗浄ケーシング８内において、ファンの外側の下方にファンを浸漬させるための貯水部(図示せず)が設けられている。
【００３０】
また、洗浄ケーシング８の下方には洗浄ケーシング８から排出する水を溜める排水トレイ９と、洗浄ケーシング８から排水トレイ９に排水を導く排水管２３が設けられる。
【００３１】
排水トレイ９は、洗浄ケーシング８からの排水を溜める。また、排水トレイ９は、フード２内部に引掛け固定するための引掛け部１５を備えている（図４参照）。また、排水トレイ９は例えば樹脂からなる。
【００３２】
引掛け部１５は、例えばフード２内部に設けられるトレイ取付容器（図示せず）に係合することで排水トレイ９をフード２に保持する。
【００３３】
操作部１０は、排気装置５等の動作を操作する。
【００３４】
また、フード２は、給水トレイ１９と、給水ポンプ２０と、給水管２１とを備えていてもよい。
【００３５】
給水トレイ１９には、洗浄ケーシング８へ供給される水等の洗浄液が貯水される。なお、給水トレイ１９の形状は、排水トレイ９の形状と略同一であってもよい。
【００３６】
給水ポンプ２０は、給水トレイ１９から水等の洗浄液を吸い上げる。
【００３７】
給水管２１は、給水ポンプ２０と洗浄ケーシング８とを接続する。
【００３８】
排水管２３は、排水トレイ９と洗浄ケーシング８とを接続する。
【００３９】
ここで、本実施形態のレンジフードの基本的な内容を説明する。
【００４０】
油煙等を含む空気は、排気装置５によって吸込口１から吸い込まれ、通風路を通って、吐出口から吐き出される。
【００４１】
この際、フィルター部７に油等が付着する。フィルター部７に付着した油煙や埃等を取り除くためにはフィルター部７を洗浄する必要がある。
【００４２】
洗浄は、洗浄ケーシング８内においてファンおよびフィルター部７の一部を洗浄液に浸した状態で、ファン６を回転させることにより行う。洗浄液は、給水トレイ１９から給水ポンプ２０により吸い上げられ、給水管２１を通って洗浄ケーシング８に溜められる。
【００４３】
なお、洗浄中は排水弁２２により、排水管２３から水が排出されないようになっている。排水弁２２は、例えば洗浄ケーシング８と排水管２３との間に設けられる。
【００４４】
洗浄後の水は排水として排水管２３を通って排水トレイ９に溜められる。
【００４５】
その後、使用者は、排水トレイ９をフード２から取り外して、排水トレイ９に溜まった水を捨てることにより、空になった排水トレイ９をフード２に装着することができる。
【００４６】
空になった排水トレイ９をフード２に装着することにより、洗浄後の排水を排水トレイ９に再度溜めることができる状態となる。
【００４７】
また、フード２は、前方部１１と後方部１２と左側部１３と右側部１４とを含む。
【００４８】
前方部１１は、フード２において使用者から見て手前側の部分である。また、後方部１２は、フード２において使用者から見て奥側の部分である。そして、左側部１３は、フード２において使用者から見て左側の部分である。また、フード２において使用者から見て右側の部分である。すなわち、フード２は前方部１１と後方部１２と左側部１３と右側部１４とに分けられる。
【００４９】
吸込口１は、前方部１１と後方部１２との間であって、左側部１３と右側部１４との間に位置する。すなわち、吸込口１はフード２の下面において略中央に設けられることとなる。
【００５０】
また、操作部１０および排水トレイ９は、前方部１１に備えられている。よって、操作部１０および排水トレイ９は、吸込口１よりも前方すなわち手前側に設けられることとなる。また、排水トレイ９は、前方部１１の下面に設けられることとなる。
【００５１】
このような構成において、洗浄ケーシング８内でファン６の洗浄が終了し排水が排水トレイ９に溜まっていて排水する場合には、図５に示すように、使用者１６は整流板３とトレイフタ１８を開け、排水トレイ９を取り外す。このとき、排水トレイ９が使用者１６から見て手前側である前方部１１に設けられていることで、使用者１６は排水の溜まっている排水トレイ９をより安定的に取り外しすることができる。
【００５２】
また、操作部１０は、前方部１１の前面に設けられ、排水トレイ９は、前方部１１の下面において、操作部１０と吸込口１との間に設けられるという構成であってもよい。このとき、使用者から見て手前から、操作部１０、排水トレイ９、吸込口１の順に設けられることとなる。
【００５３】
これにより、使用者に近い位置に排水トレイ９が設けられることとなるので、排水トレイ９の取り付けならびに取り外しを、使用者がより容易に行うことができる。
【００５４】
さらに、整流板３は、前端部２５と後端部２６とを含む。前端部２５は、整流板３がフード２に取付けられた状態で前方側すなわち手前側に位置する端部であり、後端部２６は、整流板３がフード２に取付けられた状態で後方側すなわち奥側に位置する端部である。
【００５５】
このとき排水トレイ９は、前端部２５の直上に設けられ、後端部２６の直上には設けられないという構成であってもよい。すなわち、排水トレイ９は整流板３の奥側端部ではなく手前側端部の直上に設けられるという構成であってもよい。
【００５６】
これにより、使用者に近い位置に排水トレイ９が設けられることとなるので、排水トレイ９の取り付けならびに取り外しを、使用者がより容易に行うことができる。
【００５７】
また、図３に示すように、洗浄ケーシング８へ給水される洗浄液を溜める給水トレイ１９を、排水トレイ９に並設して設けてもよい。すなわち、排水トレイ９と同様に、給水トレイ１９を使用者から見て手前側である前方部１１に設けてもよい。このときさらに、給水トレイ１９は、前端部２５の直上に設けられ、後端部２６の直上には設けられないという構成であってもよい。
【００５８】
これにより給水トレイ１９をより使用者に近い位置にセットすることとなるので、洗浄前の給水の際に、使用者１６は洗浄液で満たされた給水トレイ１９をより安定的に設置することができる。
【００５９】
さらに、給水ポンプ２０は、幕板２４とファンボックス４とで仕切られる領域に設けてもよい。
【００６０】
これにより、給水トレイ１９を、排水トレイ９に並設して設けた場合に、給水ポンプ２０を洗浄ケーシング８の真下に設置する場合より吸い上げる距離が小さくなり、より出力の小さい給水ポンプ２０を使用できるので、より安価に給水トレイ１９を前方部１１に設けることができる。また、ファンボックス４の内部に給水ポンプ２０を設けないことで、給水ポンプ２０が風路上の障害物となることを回避し、圧損を小さくすることができる。
【００６１】
なお本明細書における「直上」とは、フード２の下面を下から見た場合に平面視において重なるような位置であればよく、多少の誤差があっても本願発明の効果を得ることができる。
【００６２】
以上、本発明に係るレンジフードについて、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００６３】
本発明に係るレンジフードは、給水トレイおよび排水トレイのフード内への設置および取り外しを容易にすることができることを可能とするものであるので、台所の壁面に設置するキャビネット等にも有用である。
【符号の説明】
【００６４】
１    吸込口
２    フード
３    整流板
４    ファンボックス
５    排気装置
６    ファン
７    フィルター部
８    洗浄ケーシング
９    排水トレイ
１０    操作部
１１    前方部
１２    後方部
１３    左側部
１４    右側部
１５    引掛け部
１６    使用者
１８    トレイフタ
１９    給水トレイ
２０    給水ポンプ
２１    給水管
２２    排水弁
２３    排水管
２４    幕板
２５    前端部
２６    後端部
３０    モータ
【図１】
2019138597.tif 000003
【図２】
2019138597.tif 000004
【図３】
2019138597.tif 000005
【図４】
2019138597.tif 000006
【図５】
2019138597.tif 000007
【図６】
2019138597.tif 000008